(57)【要約】【課題】安定して高精度に生体信号を計測することができる生体信号計測装置を提供する。【解決手段】生体信号計測装置１０は、車両の搭乗者の生体信号を検出する複数の信号検出部２０と、複数の信号検出部２０のそれぞれと一対一に接続され、複数の信号検出部２０のそれぞれと搭乗者との接触状態を検出する複数の接触状態検出部３０と、複数の信号検出部２０のそれぞれと一対一に接続され、複数の信号検出部２０のそれぞれが検出した複数の生体信号を前処理する複数の生体信号生成部４０と、複数の接触状態検出部３０のそれぞれが検出した接触状態に応じて、複数の生体信号生成部４０の出力信号から少なくとも２つの有効な出力信号を選定する信号判定部７０と、信号判定部７０が選定した有効な出力信号に対して演算を行う演算部８０とを備える。【選択図】図１
2020018442.tif 000002
【特許請求の範囲】
【請求項１】
車両の搭乗者の生体信号を検出する複数の信号検出部と、
前記複数の信号検出部のそれぞれと一対一に接続され、前記複数の信号検出部のそれぞれと前記搭乗者との接触状態を検出する複数の接触状態検出部と、
前記複数の信号検出部のそれぞれと一対一に接続され、前記複数の信号検出部のそれぞれが検出した複数の生体信号を前処理する複数の生体信号生成部と、
前記複数の接触状態検出部のそれぞれが検出した接触状態に応じて、前記複数の生体信号生成部の出力信号から少なくとも２つの有効な出力信号を選定する信号判定部と、
前記信号判定部が選定した前記有効な出力信号に対して差分又は加算を行う演算部と、を備える
生体信号計測装置。
【請求項２】
前記複数の接触状態検出部のそれぞれは、前記接触状態として、当該接触状態検出部に接続された信号検出部と前記搭乗者との間のインピーダンスを検出し、
前記信号判定部は、前記インピーダンスの値が一定の値以下である２以上の信号検出部に接続された２以上の生体信号生成部それぞれの出力信号から少なくとも２つを前記有効な出力信号として選定する
請求項１に記載の生体信号計測装置。
【請求項３】
前記信号判定部は、前記２以上の生体信号生成部それぞれの出力信号のうち、振幅が最も大きい出力信号と、振幅が最も小さい出力信号とを前記有効な出力信号として選定する
請求項２に記載の生体信号計測装置。
【請求項４】
前記複数の生体信号生成部のそれぞれは、
当該生体信号生成部と接続された信号検出部が検出した生体信号をバッファするバッファ部と、
前記バッファ部から出力された信号を前処理する生体信号処理部と、を有し、
前記バッファ部は、前記信号検出部に固定されている
請求項１〜３のいずれか１項に記載の生体信号計測装置。
【請求項５】
前記複数の信号検出部は、前記車両のステアリングホイールの左右の把持部と、前記車両の座席シートの背面部及び座面部とに配置されている信号検出部を含む
請求項１〜４のいずれか１項に記載の生体信号計測装置。
【請求項６】
前記複数の信号検出部のそれぞれは、電極を有し、
前記複数の信号検出部の少なくとも１つは、前記搭乗者の生体信号を非接触で検出する容量結合型電極を有する
請求項５に記載の生体信号計測装置。
【請求項７】
前記ステアリングホイールに配置される信号検出部のそれぞれは、前記容量結合型電極を有する
請求項６に記載の生体信号計測装置。
【請求項８】
車両の搭乗者の生体信号を計測する生体信号計測装置の制御方法であって、
複数の信号検出部のそれぞれにおいて、前記搭乗者の生体信号を検出する生体信号検出ステップと、
前記複数の信号検出部のそれぞれと一対一で接続された複数の接触状態検出部のそれぞれにおいて、当該接触状態検出部と接続された信号検出部と前記搭乗者との接触状態を検出する接触状態検出ステップと、
前記複数の信号検出部のそれぞれと一対一に接続された複数の生体信号生成部のそれぞれにおいて、当該生体信号生成部と接続された信号検出部が検出した生体信号を前処理することで出力信号を生成する生成ステップと、
前記接触状態検出ステップで検出された前記接触状態に応じて、前記複数の生体信号生成部の出力信号から少なくとも２つの有効な出力信号を選定する選定ステップと、
選定された前記有効な出力信号に対して差分又は加算を行う演算ステップとを含む
制御方法。
【発明の詳細な説明】
【技術分野】
【０００１】
本開示は、車両の搭乗者の生体信号を計測する生体信号計測装置、及び、制御方法に関する。
【背景技術】
【０００２】
人の覚醒度の変化などを知るために、心電計測が有効であることが知られている。特許文献１には、車両のステアリングホイールのリング部の左右に複数の電極部を設け、複数の電極部の接触インピーダンスから生体信号の計測に適した電極部を選択して、運転者（搭乗者の一例）の心電波形を計測する装置が開示されている。
【先行技術文献】
【特許文献】
【０００３】
【特許文献１】特開２００８−２３７３７９号公報
【発明の概要】
【発明が解決しようとする課題】
【０００４】
特許文献１に記載の装置は、左右の各電極部と差動増幅手段又はインピーダンス測定手段とがスイッチング回路を介して接続されている。スイッチング回路を介して左右の電極部を差動増幅手段に接続すれば心電信号（生体信号の一例）を測定することができ、各電極部の第１電極と第２電極とをインビーダンス測定手段に接続すれば、運転者の手の接触インピーダンスを測定することができる。
【０００５】
しかしながら、心電信号の測定と接触インピーダンスの測定とを切り替える、及び、接触インピーダンスを測定する各電極部を切り替えるときのスイッチングにより、ノイズが発生することがある。よって、特許文献１に記載の装置は、安定して高精度の生体信号を計測することができない。
【０００６】
本開示は、安定して高精度に生体信号を計測することができる生体信号計測装置、及び、制御方法を提供する。
【課題を解決するための手段】
【０００７】
本開示の一態様に係る生体信号計測装置は、車両の搭乗者の生体信号を検出する複数の信号検出部と、前記複数の信号検出部のそれぞれと一対一に接続され、前記複数の信号検出部のそれぞれと前記搭乗者との接触状態を検出する複数の接触状態検出部と、前記複数の信号検出部のそれぞれと一対一に接続され、前記複数の信号検出部のそれぞれが検出した複数の生体信号を前処理する複数の生体信号生成部と、前記複数の接触状態検出部のそれぞれが検出した接触状態に応じて、前記複数の生体信号生成部の出力信号から少なくとも２つの有効な出力信号を選定する信号判定部と、前記信号判定部が選定した前記有効な出力信号に対して差分又は加算を行う演算部と、を備える。
【０００８】
本開示の一態様に係る制御方法は、車両の搭乗者の生体信号を計測する生体信号計測装置の制御方法であって、複数の信号検出部のそれぞれにおいて、前記搭乗者の生体信号を検出する生体信号検出ステップと、前記複数の信号検出部のそれぞれと一対一で接続された複数の接触状態検出部のそれぞれにおいて、当該接触状態検出部と接続された信号検出部と前記搭乗者との接触状態を検出する接触状態検出ステップと、前記複数の信号検出部のそれぞれと一対一に接続された複数の生体信号生成部のそれぞれにおいて、当該生体信号生成部と接続された信号検出部が検出した生体信号を前処理することで出力信号を生成する生成ステップと、前記接触状態検出ステップで検出された前記接触状態に応じて、前記複数の生体信号生成部の出力信号から少なくとも２つの有効な出力信号を選定する選定ステップと、選定された前記有効な出力信号に対して差分又は加算を行う演算ステップとを含む。
【発明の効果】
【０００９】
本開示の一態様によれば、安定して高精度に生体信号を計測することができる生体信号計測装置、及び、制御方法が実現される。
【図面の簡単な説明】
【００１０】
【図１】図１は、実施の形態に係る生体信号計測装置の全体構成を示す図である。
【図２Ａ】図２Ａは、実施の形態に係るステアリングホイールに設けられる計測用電極の一例を示す図である。
【図２Ｂ】図２Ｂは、実施の形態に係る座席シートに設けられる計測用電極の一例を示す図である。
【図３】図３は、実施の形態に係る接触状態検出部の構成を示す図である。
【図４】図４は、実施の形態に係る電流ＤＡＣから出力される電流の波形を示す図である。
【図５】図５は、実施の形態に係る第二バッファ部の構成を示す図である。
【図６】図６は、実施の形態に係る生体信号処理部の構成を示す図である。
【図７】図７は、実施の形態に係る生体信号計測装置の処理を示すフローチャートである。
【図８】図８は、実施の形態に係る信号判定部における処理を示すフローチャートである。
【図９】図９は、実施の形態の変形例に係るアクティブ電極の外観を示す図である。
【発明を実施するための形態】
【００１１】
以下、実施の形態について、図面を参照しながら説明する。
【００１２】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、独立請求項に記載されていない構成要素については、任意の構成要素として説明される。
【００１３】
なお、各図は模式図であり、必ずしも厳密に図示されたものではない。また、各図において、実質的に同一の構成に対しては同一の符号を付し、重複する説明は省略または簡略化される場合がある。
【００１４】
また、本明細書において、同じなどの要素間の関係性を示す用語、及び、矩形などの要素の形状を示す用語、並びに、数値、及び、数値範囲は、厳格な意味のみを表す表現ではなく、実質的に同等な範囲、例えば数％程度の差異をも含むことを意味する表現である。
【００１５】
（実施の形態）
以下、本実施の形態に係る生体信号計測装置について、図１〜図８を参照しながら説明する。本実施の形態に係る生体信号計測装置は、車両に搭載され、当該車両の搭乗者の生体信号を計測する。本明細書において、車両は、人を運ぶ乗り物を意味する。車両には、自動車、列車、バス、コミュータ等の一般的に車両と呼ばれるものだけでなく、フェリー等の船舶、及び、飛行機等の航空機が含まれる。また、生体信号には、心電位、筋電位、神経活動電位、脳波、呼吸数、及び、心拍数などが含まれる。
【００１６】
以下では、本実施の形態に係る生体信号計測装置を車両の運転者（搭乗者の一例）の心電計測に適用した例について説明する。なお、搭乗者は、車両を運転する運転者に限定されず、車両内にいる人であればよい。車両が自動車である場合、搭乗者には、自動車の助手席又は後部座席にいる人も含まれる。また、車両が列車である場合、搭乗者には、列車の運転士及び乗客が含まれる。
【００１７】
［１．生体信号計測装置の概要］
まず、本実施の形態に係る生体信号計測装置の構成について、図１〜図６を参照しながら説明する。図１は、本実施の形態に係る生体信号計測装置１０の全体構成を示す図である。
【００１８】
図１に示すように、生体信号計測装置１０は、車両に搭載され、ステアリングホイール１００を把持した、又は、座席シート１１０に着座した運転者から発せられる生体信号を検出し、その生体信号に基づいて、心電波形などの出力情報を生成する装置である。生体信号計測装置１０は、計測用電極２０と、接触状態検出部３０と、生体信号生成部４０と、信号判定部７０と、演算部８０とを備える。生体信号計測装置１０は、複数の計測用電極２０のそれぞれと、接触状態検出部３０及び生体信号生成部４０とが一対一に接続されている。言い換えると、生体信号計測装置１０は、計測用電極２０と接触状態検出部３０及び生体信号生成部４０とを同数備える。
【００１９】
計測用電極２０は、運転者の人体と直接接触する、又は、衣服等の絶縁物を介して接触することで、当該搭乗者の生命活動に伴って生じる微弱な生体信号を検出する。なお、以下において、生体信号は、心電位である例について説明する。また、接触するとは、直接接触する、及び、絶縁物を介して接触することを含む。
【００２０】
計測用電極２０の材料は、導電性の物質によって構成される。計測用電極２０の材料の一例は、金、又は、銀である。望ましい測定用電極２０の材料は、銀−塩化銀（Ａｇ／ＡｇＣｌ）である。銀−塩化銀は人体と接触した場合の分極が少なく、かつ分極電圧が安定しているためである。なお、測定用電極２０は、信号検出部の一例である。
【００２１】
計測用電極２０は、複数設けられる。計測用電極２０は、運転者の体の部位のうち、少なくとも２以上の部位から生体信号を検出することができるように設けられる。計測用電極２０の設置例について、図２Ａ及び図２Ｂを参照しながら、説明する。なお、体の部位とは、例えば、手（例えば、掌）、体幹（例えば、背中）、及び、下肢（例えば、大腿）などである。図２Ａは、本実施の形態に係るステアリングホイール１００に設けられる計測用電極２０の一例を示す図である。図２Ｂは、本実施の形態に係る座席シート１１０に設けられる計測用電極２０の一例を示す図である。なお、図示していないが、生体信号計測装置１０は、計測用電極２０で計測した電位との差を計算するために用いられる基準電位を計測する参照用電極を備える。参照用電極は、図２Ａ及び図２Ｂに示す計測用電極２０とは別に設けられてもよいし、計測用電極２０の中から１つ選択されてもよい。
【００２２】
図２Ａに示すように、運転席のステアリングホイール１００には、運転者の左手が直接接触する計測用電極２０（以降において、左手電極とも記載する）と、右手が直接接触する計測用電極２０（以降において、右手電極とも記載される）が設置される。図２Ａでは、左手電極と右手電極とが一対設置されている例を示しているが、左手電極及び右手電極は複数対設置されていてもよい。
【００２３】
左手電極及び右手電極は運転者の人体（例えば、掌）と直接接触する構成であってもよい。つまり、運転者の人体は、左手電極及び右手電極の表面と直接接触してもよい。この場合は、計測用電極２０と人体との間（例えば、計測用電極２０と参照用電極との間）にインピーダンスとして接触抵抗が発生する。
【００２４】
なお、左手電極及び右手電極の表面には、左手電極及び右手電極を覆うカバー部材が設けられてもよい。カバー部材は、例えば、左手電極及び右手電極の表面にコーティングされた絶縁膜であってもよい。信号検出部は、例えば、計測用電極２０の表面に絶縁層をコーティングして構成された容量性結合型電極であってもよい。この場合、計測用電極２０と人体との間（例えば、計測用電極２０と参照用電極との間）にインピーダンスとして結合容量が発生する。計測用電極２０は、例えば、絶縁膜の表面に接触した人体と当該計測用電極２０との間の容量性結合により運転者の生体信号を検出する。これにより、ステアリングホイール１００に設置される計測用電極２０は、運転者の人体（例えば、皮膚）に接触せずに当該運転者の生体信号を検出することができる。なお、本明細書におけるインピーダンス（接触インピーダンス）には、接触抵抗及び接触容量（結合容量を含む）の少なくとも一方によるインピーダンスが含まれる。
【００２５】
図２Ｂに示すように、座席シート１１０は、運転者の後頭部を支えるヘッドレスト１１０ａ、運転者の背中を支える背面部１１０ｂ、及び、運転者の下半身を支える座面部１１０ｃから構成される。運転席の座席シート１１０の背面部１１０ｂには、運転者の背中左部が接触する計測用電極２０（以降において、背もたれ左側電極とも記載する）と、背中右部が接触する計測用電極２０（以降において、背もたれ右側電極とも記載する）が設置される。なお、背もたれ左側電極と背もたれ右側電極とは、座席シート１１０に着座した運転者の心臓の位置を挟んで、左右に位置するように配置される。また、座席シート１１０の座面部１１０ｃには、運転者の大腿左部が接触する計測用電極２０と、大腿右部が接触する計測用電極２０とが設置される。図２Ｂでは、背面部１１０ｂ及び座面部１１０ｃのそれぞれに、一対の計測用電極２０が設置されている例を示しているが、計測用電極２０は複数対設置されていてもよい。また、計測用電極２０が設置される位置は、検出する生体信号に応じて、適宜決定されるとよい。
【００２６】
そして、被験者である運転者が座席シート１１０に着座すると、衣服を挟んで計測用電極２０と人体との間に容量性結合が形成され、運転者から発せられる生体信号が計測用電極２０を介して検出される。言い換えると、座席シート１１０に設置される計測用電極２０は、運転者の人体に直接接触せずに（つまり、非接触で）運転者の生体電位を検出する容量結合型電極である。容量結合型電極は、絶縁物を介して、運転者の人体と接触する。なお、本実施の形態では、座席シート１１０に設置される計測用電極２０が容量結合型電極である例について説明したが、これに限定されない。複数の計測用電極２０の少なくとも１つが、容量結合型電極であればよい。
【００２７】
なお、本実施の形態では、座席シート１１０のヘッドレスト１１０ａに計測用電極２０は設けられていないが、これに限定されない。また、計測用電極２０は、シートベルト（例えば、シートベルトの肩掛けベルト部）などに設けられていてもよい。
【００２８】
図２Ａ及び図２Ｂに示すように、本実施の形態では、複数の計測用電極２０は、車両のステアリングホイール１００の左右の把持部と、車両の座席シート１１０の背面部１１０ｂ及び座面部１１０ｃとに設置されている。複数の計測用電極２０のそれぞれが、接触状態検出部３０及び生体信号生成部４０と電気的に接続されている。また、図２Ａ及び図２Ｂでは、計測用電極２０の形状は、矩形である例を図示しているが、これに限定されない。計測用電極２０の形状は、円形、楕円形、及び、多角形であってもよい。また、計測用電極２０は、例えば、板状である。
【００２９】
図１を再び参照して、接触状態検出部３０は、計測用電極２０と運転者との接触状態を検出する。接触状態検出部３０は、複数設けられており、当該接触状態検出部３０が接続されている計測用電極２０と運転者との接触状態を検出する。接触状態検出部３０は、計測用電極２０と生体信号生成部４０とを電気的に接続する配線と接続される。接触状態検出部３０の構成について、図３を参照しながら説明する。図３は、本実施の形態に係る接触状態検出部３０の構成を示す図である。
【００３０】
図３に示すように、接触状態検出部３０は、電流ＤＡＣ（Ｄｉｇｉｔａｌ  ｔｏ  Ａｎａｌｏｇ  Ｃｏｎｖｅｒｔｅｒ）３１と、第一バッファ部３２と、ＡＤＣ（Ａｎａｌｏｇ  ｔｏ  Ｄｉｇｉｔａｌ  Ｃｏｎｖｅｒｔｅｒ）３３とを有する。電流ＤＡＣ３１、第一バッファ部３２、及び、ＡＤＣ３３のそれぞれは、公知のものを使用することができる。
【００３１】
電流ＤＡＣ３１は、信号判定部７０から出力された制御信号に応じて、接触インピーダンスを計測するための電流を計測用電極２０に出力する。図４は、本実施の形態に係る電流ＤＡＣ３１から出力される電流の波形を示す図である。
【００３２】
図４に示すように、電流ＤＡＣ３１は、信号判定部７０からの制御信号に応じて、最大電流値ＩＤＡＣ、最小電流値０のパルス電流波形を生成し、計測用電極２０に出力する。パルス電流の周期Ｔは、例えば、０．２５ｍｓ〜１．０ｍｓである。すなわち、パルス電流の周波数は、例えば１ｋＨｚ〜４ｋＨｚである。パルス電流の周波数は、例えば、計測する生体信号の周波数より高い値が設定される。パルス電流は、計測用電極２０と人体との接触インピーダンスからパルス電圧に変換される。
【００３３】
第一バッファ部３２は、パルス電流及び接触インピーダンスに応じて発生するパルス電圧信号が入力される増幅器である。第一バッファ部３２は、公知のオペアンプ３２ａで構成されており、非反転入力端子は計測用電極２０に接続され、反転入力端子はオペアンプ３２ａの出力端子に接続され、出力端子はＡＤＣ３３の入力に接続されるボルテージフォロア回路として動作する。具体的には、第一バッファ部３２は、パルス電圧信号と同電位の信号を出力端子から出力するとともに、計測用電極２０の高いインピーダンスを低インピーダンスに変換する。つまり、第一バッファ部３２は、いわゆるバッファアンプとして機能し、インピーダンス変換を行う。第一バッファ部３２は、電圧増幅を行わない（電圧増幅率は１である）が、電圧増幅を行ってもよい。なお、本明細書において、「アンプ」（又は、「増幅器」）との用語は、必ずしも１よりも大きな電圧増幅率をもつアンプだけに限られず、電圧増幅率が１以下であるアンプも含まれる。
【００３４】
ＡＤＣ３３は、第一バッファ部３２から入力されたパルス電圧信号（アナログ信号）をサンプリングしてデジタル信号に変換する変換機であり、変換したデジタル信号（電位差を示す信号）を接触状態信号として、信号判定部７０に出力する。本実施の形態では、ＡＤＣ３３がＡＤ変換を行うタイミングは、電流ＤＡＣ３１の電流印加のタイミングと同期している。言い換えると、ＡＤＣ３３のサンプリング周波数と、電流ＤＡＣ３１の電流印加の周波数とは、同じである。ＡＤＣ３３のサンプリング周波数は、例えば１ｋＨｚ〜４ｋＨｚである。これにより、パルス電圧信号をＤＣ情報に変換することができる。
【００３５】
上記のように、接触状態検出部３０は、接触状態を接触インピーダンスにより検出するインピーダンス計測センサである。接触状態検出部３０は、電流ＤＡＣ３１の電流印加により生じるパルス電圧信号をＤＣ情報に変換した後に、ＡＤ変換を行う。なお、接触状態検出部３０は、インピーダンス計測センサに限定されない。接触状態検出部３０は、例えば、計測用電極２０と人体との接触状態を圧力により検出する圧力計測センサであってもよい。例えば、計測用電極２０と人体との間に抵抗式の圧力センサ（圧力を受けて変形することで抵抗値が変化するセンサ）が設けられており、接触状態検出部３０は、接触状態を圧力（具体的には、抵抗値）により検出してもよい。
【００３６】
図１を再び参照して、生体信号生成部４０は、計測用電極２０から得られた生体信号を前処理し、信号判定部７０に出力する。生体信号生成部４０は、第二バッファ部５０と、生体信号処理部６０とを有する。
【００３７】
第二バッファ部５０は、測定用電極２０に接続され、人体に接触する計測用電極２０によって検出される生体信号（具体的には、計測用電極２０と参照用電極との間の電位差に相当する生体信号）が入力される増幅器である。第二バッファ部５０の構成について、図５を参照しながら説明する。図５は、本実施の形態に係る第二バッファ部５０の構成を示す図である。
【００３８】
図５に示すように、第二バッファ部５０は、公知のオペアンプ５１で構成されており、非反転入力端子は計測用電極２０に接続され、反転入力端子はオペアンプ５１の出力端子に接続され、出力端子は生体信号処理部６０の入力に接続されるボルテージフォロア回路として動作する。つまり、第二バッファ部５０は、いわゆるバッファアンプとして機能し、インピーダンス変換を行う。具体的には、第二バッファ部５０は、計測用電極２０を介して運転者から発せられる生体信号と同電位の信号を出力端子から出力するとともに、計測用電極２０の高いインピーダンスを低インピーダンスに変換する。第二バッファ部５０は、電圧増幅を行わない（電圧増幅率は１である）が、電圧増幅を行ってもよい。なお、第二バッファ部５０は、生体信号をバッファするバッファ部の一例である。
【００３９】
図１を再び参照して、生体信号処理部６０は、第二バッファ部５０から出力された生体信号を前処理する処理部である。第二バッファ部５０は、第二バッファ部５０から入力されたアナログの生体信号をデジタルの生体信号に変換し、信号判定部７０に出力する。生体信号処理部６０の構成について、図６を参照しながら説明する。図６は、本実施の形態に係る生体信号処理部６０の構成を示す図である。
【００４０】
図６に示すように、生体信号処理部６０は、ＬＮＡ（Ｌｏｗ  Ｎｏｉｓｅ  Ａｍｐｌｉｆｉｅｒ）６１と、ＶＧＡ（Ｖａｒｉａｂｌｅ  Ｇａｉｎ  Ａｍｐｌｉｆｉｅｒ）６２と、フィルタ６３と、ＡＤＣ６４とを有する。ＬＮＡ６１、ＶＧＡ６２、フィルタ６３、及び、ＡＤＣ６４のそれぞれは、公知のものを使用することができる。
【００４１】
ＬＮＡ６１は、第二バッファ部５０から入力された微弱な生体信号にノイズを付加することなく増幅し、ＶＧＡ６２に出力する。
【００４２】
ＶＧＡ６２は、入力端子がＬＮＡ６１に接続され、出力端子がフィルタ６３に接続されており、取得したい信号振幅に合わせて利得を調整可能な可変利得アンプから構成されている。ＶＧＡ６２は、ＬＮＡ６１から入力された生体信号を、後段のＡＤＣ６４の入力ダイナミックレンジ内に収まる程度の所定の利得（例えば１００〜１０００倍）で増幅して、フィルタ６３に出力する。ＶＧＡ６２の利得は、信号判定部７０から出力される制御信号により調整される。
【００４３】
フィルタ６３は、取得したい信号周波数に合わせて設定されたカットオフ周波数を有するローパスフィルタ、又は、バンドパスフィルタの少なくとも１つにより実現される。フィルタ６３は、ＶＧＡ６２から入力された信号について、例えば、心電信号帯域（例えば０．２〜２０［Ｈｚ］）の成分を通過させるとともに、これ以外の帯域の成分を衰退させたるアクティブフィルタである。なお、通過させる帯域は、心電信号の帯域に限定されず、取得する信号（例えば、筋電信号、又は、呼吸信号など）に応じて適宜決定される。また、電灯線ノイズなどの影響を受ける場合、それに応じた周波数帯域（例えば、５０Ｈｚ〜６０Ｈｚ）を減衰帯域に含むようにカットオフ周波数が設定されてもよい。また、フィルタ６３は、生体信号として取得され得る帯域より高域側（例えば、２００Ｈｚ以上など）の成分を除去するフィルタであってもよい。
【００４４】
本実施の形態では、フィルタ６３は、心電信号帯域以外の帯域の成分を減衰する。これにより、フィルタ６３は、例えば、ＶＧＡ６２から出力された信号に電流ＤＡＣ３１が出力したパルス電流によるパルス電圧の成分が含まれている場合、当該成分を除去することができる。
【００４５】
ＡＤＣ６４は、入力端子がフィルタ６３に接続されており、フィルタ６３から入力されたアナログ信号をサンプリングしてデジタル信号に変換する変換機であり、変換されたデジタル信号を、計測用電極２０を介して検出された生体信号として信号判定部７０に出力する。ＡＤＣ６４のサンプリング周波数は、フィルタ６３がパルス電流による影響を除去可能なフィルタである場合、任意に設定可能である。ＡＤＣ６４のサンプリング周波数は、例えば、１ｋＨｚである。
【００４６】
上記のように、生体信号処理部６０は、第二バッファ部５０から入力された生体信号（本実施の形態では、心電位を示す信号）を増幅し、ノイズ成分を除去し、デジタル信号に変換する。つまり、生体信号生成部４０は、計測用電極２０を介して運転者から発せられた微弱な生体信号であって、ノイズ成分を多く含む生体信号を調整（増幅及びノイズ除去等）し、デジタル信号に変換するように構成されている。ＡＤＣ６４に入力される前に生体信号に行われる調整は、前処理の一例である。また、生体信号生成部４０から信号判定部７０に出力される、前処理が行われた生体信号は、出力信号の一例である。
【００４７】
図１を再び参照して、信号判定部７０は、複数の接触状態検出部３０のそれぞれ及び複数の生体信号生成部４０それぞれからの出力信号から有効な出力信号を選定して、演算部８０に出力する。具体的には、信号判定部７０は、複数の接触状態検出部３０それぞれで検出された接触状態に応じて、複数の生体信号生成部４０の中から少なくとも２つを選定して、選定された少なくとも２つの生体信号生成部４０から得られた出力信号に基づいて運転者の生体信号を検出する。つまり、信号判定部７０は、複数の接触状態検出部３０それぞれからの出力信号に基づいて、有効な計測用電極２０を選定する。有効な計測用電極２０とは、複数の計測用電極２０のうち、人体と接触している（具体的には、接触インピーダンスが所定閾値以下である）計測用電極２０を意味する。
【００４８】
演算部８０は、信号判定部７０から得られた生体信号に基づいて演算（例えば、差分又は加算）を行い、増幅する増幅器である。本実施の形態では、演算部８０は、信号判定部７０から得られた生体信号（後述する有効生体電位信号、及び、有効リファレンス信号）の差分を増幅する差動増幅部である。
【００４９】
なお、接触状態検出部３０、第二バッファ部５０、生体信号処理部６０、信号判定部７０、及び、演算部８０は、１つの半導体集積回路にコンピュータプログラムを組み込んだＤＳＰ（Ｄｉｇｉｔａｌ  Ｓｉｇｎａｌ  Ｐｒｏｃｅｓｓｏｒ）等のハードウェアとして実現されてもよい。１つの半導体集積回路に実装すると、実装面積が削減され、消費電力が低減される効果も得られる。
【００５０】
［２．生体信号計測装置の動作］
次に、本実施の形態に係る生体信号計測装置１０の動作について、図７及び図８を参照しながら説明する。図７は、本実施の形態に係る生体信号計測装置１０の処理を示すフローチャートである。
【００５１】
図７に示すように、生体信号計測装置１０は、車両の運転者の生体信号を検出する（Ｓ１１）。具体的には、複数の計測用電極２０のそれぞれは、運転者の生体信号を検出する。なお、ステップＳ１１は、生体信号検出ステップの一例である。
【００５２】
そして、生体信号計測装置１０は、複数の計測用電極２０のそれぞれと運転者との接触状態を検出する（Ｓ１２）。具体的には、複数の計測用電極２０のそれぞれと一対一に接続された複数の接触状態検出部３０は、複数の計測用電極２０と運転者との接触状態を検出する。なお、ステップＳ１２は、接触状態検出ステップの一例である。
【００５３】
ステップＳ１２において、信号判定部７０は、電流ＤＡＣ３１にパルス電流を発生させるための制御信号を出力する。信号判定部７０は、例えば、複数の電流ＤＡＣ３１のそれぞれに同一のタイミングでパルス電流を発生させてもよい。電流ＤＡＣ３１は、信号判定部７０からの制御信号に基づいて、対応する計測用電極２０と搭乗者の人体（例えば、皮膚）との接触インピーダンスを計測するためのパルス電流を発生する。なお、電流ＤＡＣ３１と対応する計測用電極２０とは、電流ＤＡＣ３１と接続されている、つまり接触状態検出３０と接続されている計測用電極２０を意味する。また、電流ＤＡＣ３１は、少なくともステップＳ１２において、パルス電流を発生すればよい。例えば、電流ＤＡＣ３１は、ステップＳ１１においても、パルス電流を発生していてもよい。複数の計測用電極２０は、計測用電極２０と人体との接触インピーダンスに応じたパルス電圧を検出する。
【００５４】
そして、生体信号計測装置１０は、生体信号から出力信号を生成する（Ｓ１３）。具体的には、複数の計測用電極２０のそれぞれと一対一に接続された複数の生体信号生成部４０のそれぞれは、対応する計測用電極２０が検出した生体信号に前処理することで出力信号を生成する。なお、ステップＳ１３は、生成ステップの一例である。
【００５５】
そして、生体信号計測装置１０は、複数の生体信号生成部４０のそれぞれから取得された複数の出力信号から有効な出力信号を選定する（Ｓ１４）。具体的には、信号判定部７０は、ステップＳ１２（接触状態検出ステップ）で検出された接触状態に応じて、複数の出力信号から少なくとも２つを有効な出力信号として選定する。有効な出力信号を選定する方法は、後述する。なお、ステップＳ１４は、選定ステップの一例である。また、信号判定部７０は、複数の生体信号生成部４０と当該信号判定部７０との電気的な接続を切り替えることなく、複数の生体信号生成部４０のそれぞれから出力信号を取得する。
【００５６】
そして、生体信号計測装置１０は、ステップＳ１４で選定された有効な出力信号に基づいて演算を行う（Ｓ１５）。具体的には、演算部８０は、有効な出力信号に基づいて差分又は加算を行う。演算部８０は、例えば、２つの有効な出力信号の差分を増幅する。これにより、例えば、心電波形が生成される。なお、ステップＳ１５は、演算ステップの一例である。
【００５７】
そして、生体信号計測装置１０は、演算結果（例えば、心電波形）を出力する（Ｓ１６）。生体信号生成装置１０は、例えば、演算結果を表示部（図示しない）に表示してもよいし、車両外の装置に送信してもよい。
【００５８】
なお、図８に示すステップＳ１１〜Ｓ１３の順序は、入れ替えられてもよい。ステップＳ１４の時点で、接触状態が検出され、かつ出力信号を生成されていればよい。
【００５９】
続いて、信号判定部７０の処理について、図８を参照しながら説明する。図８は、本実施の形態に係る信号判定部７０における処理を示すフローチャートである。なお、図８におけるステップＳ１０１およびＳ１０２は、複数の接触状態検出部３０それぞれから取得した接触状態信号に基づく処理であり、ステップＳ１０３〜Ｓ１１０は、選定された生体信号生成部４０それぞれから取得した、前処理された生体信号に基づく処理である。また、図８に示すステップは、図７に示すステップＳ１４を詳細に説明したものである。
【００６０】
図８に示すように、信号判定部７０は、接触状態を表す接触インピーダンスデータを取得する（Ｓ１０１）。ステップＳ１０１では、信号判定部７０は、複数の接触状態検出部３０のそれぞれから接触状態信号を取得し、取得した接触状態信号と電流ＤＡＣ３１から出力されたパルス電流の最大電流値ＩＤＡＣとからインピーダンスを算出することで、複数の接触状態検出部３０それぞれにおけるインピーダンスを取得してもよい。つまり、信号判定部７０は、複数の計測用電極２０のそれぞれと人体との接触インピーダンスを取得する。
【００６１】
そして、信号判定部７０は、複数の電極（具体的には、複数の計測用電極２０）から有効電極を抽出する（Ｓ１０２）。具体的には、信号判定部７０は、複数の計測用電極２０の中で、接触インピーダンスが予め設定された所定閾値（所定の値の一例）以下となるものを有効電極として抽出する。言い換えると、信号判定部７０は、接触インピーダンスの値が所定閾値以下のときに、運転者と計測用電極２０とが接触していると判定する。なお、ここでの接触しているとは、生体信号の計測に影響のない程度に運転者の人体と計測用電極２０とが接触していることを意味する。また、信号判定部７０は、複数の計測用電極２０のうち、接触インピーダンスが所定閾値より高い計測用電極２０で取得された生体信号を演算部８０に出力するために用いない。言い換えると、信号判定部７０は、接触インピーダンスが所定閾値より高い計測用電極２０で計測された生体信号について、ステップＳ１０３以降の処理を行わない。また、信号判定部７０は、有効電極の個数（以降において、有効電極数とも記載する）を抽出する。なお、所定閾値は、計測用電極２０の大きさ及び材質などにより適宜決定される。
【００６２】
以降の処理は、ステップＳ１０２で３つの計測用電極２０が抽出されたものとして説明する。そして、信号判定部７０は、抽出された計測用電極２０と接続されている生体信号生成部４０から取得した生体信号に基づいて処理を行うものとする。
【００６３】
ステップＳ１０３では、信号判定部７０は、繰り返し数を記憶するカウンタ変数ｉ（初期値＝１）が、有効電極数（例えば、３つ）より大きいか否かを判定する。信号判定部７０は、カウンタ変数ｉが有効電極数以下である場合（Ｓ１０３でＮｏ）、一定期間に取得された、計測用電極２０と参照用電極との電位差に相当する電圧波形（生体信号）の振幅Ｖａｍｐを取得する（Ｓ１０４）。振幅Ｖａｍｐは、電圧波形の最大値（例えば、頂部の電圧値）と最小値（例えば、谷部の電圧値）との差分から取得されてもよいし、電圧波形の最大値と基準電位との差分から取得されてもよい。電圧波形が心電波形である場合、振幅Ｖａｍｐは、例えば、Ｒ波の高さで示される。
【００６４】
また、振幅Ｖａｍｐは、一定期間に取得された電圧波形に複数の頂部及び谷部が含まれる場合、例えば、複数の頂部のそれぞれにおける、当該頂部と当該頂部と隣り合う谷部との差の平均値であってもよいし、任意の１つの頂部と谷部との差であってもよいし、頂部と谷部との差の最大値又は最小値であってもよいし、中央値であってもよい。電圧波形が心電波形である場合、振幅Ｖａｍｐは、一定期間に取得された心電波形に含まれる複数のＲ波の高さの平均値であってもよいし、任意の１つのＲ波の高さであってもよいし、複数のＲ波の高さのうちの最大値又は最小値であってもよいし、中央値であってもよい。
【００６５】
そして、信号判定部７０は、振幅Ｖａｍｐが振幅最大値Ｖｍａｘより大きいか否かを判定する（Ｓ１０５）。信号判定部７０は、振幅Ｖａｍｐが振幅最大値Ｖｍａｘより大きい場合（Ｓ１０５でＹｅｓ）、振幅最大値Ｖｍａｘの値を振幅Ｖａｍｐの値に更新し（Ｓ１０６）、更新した振幅Ｖａｍｐを有する電圧波形を有効生体信号に設定する。そして、ステップＳ１０７に進む。なお、有効生体信号とは、信号判定部７０から演算部８０に出力される電圧波形である。
【００６６】
振幅最大値Ｖｍａｘの初期値は、振幅Ｖａｍｐとして取得される値の最小値（本実施の形態では、０）に設定されている。１つ目の計測用電極２０において、ステップＳ１０４が実行された場合、当該計測用電圧２０で計測された電圧波形の振幅Ｖａｍｐが振幅最大値Ｖｍａｘとして設定される。
【００６７】
信号判定部７０は、振幅Ｖａｍｐが振幅最大値Ｖｍａｘ以下であった場合（Ｓ１０５でＮｏ）、ステップＳ１０７に進む。
【００６８】
次に、信号判定部７０は、振幅Ｖａｍｐが振幅最小値Ｖｍｉｎより小さい否かを判定する（Ｓ１０７）。信号判定部７０は、振幅Ｖａｍｐが振幅最小値Ｖｍｉｎより小さい場合（Ｓ１０７でＹｅｓ）、振幅最小値Ｖｍｉｎの値を振幅Ｖａｍｐの値に更新し（Ｓ１０８）、更新した振幅Ｖａｍｐを有する電圧波形を有効リファレンス信号に設定する。そして、ステップＳ１０９に進む。なお、有効リファレンス信号とは、信号判定部７０から演算部８０に出力される電圧波形である。
【００６９】
振幅最小値Ｖｍｉｎの初期値は、振幅Ｖａｍｐとして取得される値が取り得る最大値（本実施の形態では、９９９９）に設定されている。１つ目の計測用電極２０において、ステップＳ１０７が実行された場合、当該計測用電極２０で計測された電圧波形の振幅Ｖａｍｐが振幅最小値Ｖｍｉｎとして設定される。
【００７０】
信号判定部７０は、振幅Ｖａｍｐが振幅最小値Ｖｍｉｎ以上であった場合（Ｓ１０７でＮｏ）、ステップＳ１０９に進む。
【００７１】
信号判定部７０は、カウンタ変数ｉに１を加算した値を新たなカウンタ変数ｉとして更新する（Ｓ１０９）。そして、ステップＳ１０３に戻り、ステップＳ１０３がＹｅｓとなるまで、ステップＳ１０３〜Ｓ１０９の処理が繰り返し継続される。計測用電極２０が３つ選定されている場合、ステップＳ１０３〜ステップＳ１０９の処理が３回繰り返し行われる。これにより、３つの計測用電極２０を介して取得された電圧波形のうち振幅Ｖａｍｐが最大である電圧波形が有効生体信号に設定され、振幅Ｖａｍｐが最小である電圧波形が有効リファレンス信号に設定される。信号判定部７０は、２つ以上の生体信号生成部４０を選定した際に、選定された生体信号生成部４０から入力された信号の振幅Ｖａｍｐに応じて、最も振幅が大きい信号（有効生体電位信号）と、最も振幅が小さい信号（有効リファレンス信号）とを選定する。なお、有効生体電位信号及び有効リファレンス信号は、有効な出力信号の一例である。
【００７２】
信号判定部７０は、有効電極の全てにおいてステップＳ１０３〜Ｓ１０９が行われた場合（Ｓ１０３でＹｅｓ）、有効生体電位信号、及び、有効リファレンス信号を演算部８０に出力する（Ｓ１１０）。そして、演算部８０は、有効生体電位信号と有効リファレンス信号との差分を増幅することで、運転者の心電波形などを算出する。
【００７３】
なお、演算部８０では、信号判定部７０から出力された２つ以上の信号を加算してから増幅してもよい。この場合の信号判定部７０の処理について、説明する。
【００７４】
信号判定部７０は、例えば、ステップＳ１０３でＹｅｓであった場合、振幅最大値Ｖｍａｘが振幅閾値以上であるか否かを判定してもよい。そして、振幅最大値Ｖｍａｘが振幅閾値以上である場合、ステップＳ１１０に進む。一方、振幅最大値Ｖｍａｘが振幅閾値より小さい場合、演算部８０に出力する信号を再度選定してもよい。この場合、複数の有効電極の中から、振幅Ｖａｍｐが大きい計測用電極２０が選定される。信号判定部７０は、例えば、複数の有効電極の中から、振幅Ｖｍａｘが大きい有効電極（計測用電極２０）を２つ以上選定する。信号判定部７０は、複数の有効電極の中から、最も振幅Ｖｍａｘが大きい計測用電極２０と、２番目に振幅Ｖｍａｘが大きい計測用電極２０とを含む２つ以上の計測用電極２０を選定してもよいし、２番目に振幅Ｖｍａｘが大きい計測用電極２０と３番目に振幅Ｖｍａｘが大きい計測用電極２０とを含む２つ以上の計測用電極２０を選定してもよい。信号判定部７０は、例えば、複数の有効電極それぞれの振幅Ｖｍａｘの平均値より大きい振幅Ｖｍａｘを有する有効電極の中から、２つ以上の有効電極を選定してもよい。
【００７５】
そして、信号判定部７０は、選定した２つ以上の計測用電圧２０の電圧波形を演算部８０に出力する。これにより、振幅Ｖａｍｐが小さい場合に、演算部８０において電圧波形が加算されるので、振幅Ｖａｍｐを大きくすることができる。よって、計測用電極２０を介して取得された振幅Ｖａｍｐが小さい場合であっても、より正確な生体信号を得ることができる。
【００７６】
また、信号判定部７０は、ステップＳ１０２で有効電極が１つ以下であった場合、運転者に生体信号が取得できていないこと、つまり人体が計測用電極２０と接触していないことを報知する信号を出力してもよい。信号判定部７０は、例えば、生体信号計測装置１０が備える報知部（図示しない）に生体信号が取得できていないことを報知させてもよい。報知部は、表示装置又は出音装置などにより実現される。
【００７７】
［３．効果など］
以上説明したように、生体信号計測装置１０は、車両の運転者（搭乗者の一例）の生体信号を検出する複数の計測用電極２０（信号検出部の一例）と、複数の計測用電極２０のそれぞれと一対一に接続され、複数の計測用電極２０のそれぞれと運転者との接触状態を検出する複数の接触状態検出部３０と、複数の計測用電極２０のそれぞれと一対一に接続され、複数の計測用電極２０のそれぞれが検出した複数の生体信号を前処理する複数の生体信号生成部４０と、複数の接触状態検出部３０のそれぞれが検出した接触状態に応じて、複数の生体信号生成部４０の出力信号から少なくとも２つの有効な出力信号を選定する信号判定部７０と、信号判定部７０が選定した有効な出力信号に対して差分又は加算を行う演算部８０と、を備える。
【００７８】
これにより、生体信号計測装置１０は、複数の計測用電極２０のそれぞれに接触状態検出部３０及び生体信号生成部４０が接続されるので、複数の計測用電極２０と接触状態検出部３０及び生体信号生成部４０との接続を切り替えるためのスイッチを備えていない。つまり、生体信号計測装置１０は、複数の計測用電極２０と接触状態検出部３０及び生体信号生成部４０との接続を切り替えるときのスイッチングによるノイズが生じない。よって、本実施の形態に係る生体信号計測装置１０は、安定して高精度に生体信号を計測することができる。
【００７９】
また、特許文献１に記載の装置は、回路上にスイッチングによるノイズを除去するためのフィルタ（例えば、ローパスフィルタ）を設けることは可能であるが、装置の部品点数が増加し、装置も大型化してしまう。生体信号計測装置１０は、スイッチングによるノイズが発生しないので、当該ノイズを除去するためのフィルタを設ける必要がない。
【００８０】
また、複数の接触状態検出部３０のそれぞれは、接触状態として、当該接触状態検出部３０に接続された計測用電極２０と運転者との間のインピーダンスを検出する。そして、信号判定部７０は、インピーダンスの値が一定の値以下である２以上の計測用電極２０に接続された２以上の生体信号生成部４０それぞれの出力信号から少なくとも２つを有効な出力信号として選定する。
【００８１】
これにより、信号判定部７０は、インピーダンス（接触インピーダンス）の値を用いて、複数の生体信号生成部４０の中から少なくとも２つの生体信号生成部４０を選定することができる。信号判定部７０は、インピーダンスの値が所定の値以下である計測用電極２０と接続されている生体信号生成部４０を選定するので、運転者との接触状態が良好である（つまり、運転者の人体と接触している）計測用電極２０により検出された生体信号を取得することができる。よって、本実施の形態に係る生体信号計測装置１０は、より高精度に生体信号を計測することができる。
【００８２】
また、信号判定部７０は、２以上の生体信号生成部４０それぞれの出力信号のうち、振幅が最も大きい出力信号と、振幅が最も小さい出力信号とを有効な出力信号として選定する。
【００８３】
これにより、信号判定部７０は、演算部８０の出力信号の振幅が最も大きくなる生体信号の組み合わせを演算部８０に出力することができるので、生体信号の検出精度をさらに向上することができる。
【００８４】
また、複数の計測用電極２０は、車両のステアリングホイール１００の左右の把持部と、車両の座席シート１１０の背面部１１０ｂ及び座面部１１０ｃとに配置されている計測用電極２０を含む。
【００８５】
これにより、計測用電極２０と運転者の人体との間に絶縁物（例えば、衣服等）がある場合であっても、計測用電極２０と人体との容量性結合により当該搭乗者の生体信号を検出することができる。つまり、生体信号計測装置１０は、運転者が衣服を着ている状態であっても、生体信号を計測することができる。よって、生体信号計測装置１０は、運転者が人体（例えば、皮膚）に計測用電極２０を取り付けるなどの手間を低減することができるので、利便性が向上する。
【００８６】
また、複数の計測用電極２０のそれぞれは、電極を有し、複数の計測用電極２０の少なくとも１つは、運転者の生体信号を非接触で検出する容量結合型電極を有する。
【００８７】
これにより、運転者がステアリングホイール１００から両手を離した状態であっても、当該運転者の生体信号を計測することができる。
【００８８】
また、ステアリングホイール１００に配置される計測用電極２０のそれぞれは、容量結合型電極を有する。
【００８９】
これにより、ステアリングホイール１００に設けられる計測用電極２０を絶縁膜などで覆った場合であっても、運転者の生体信号を計測することができる。計測用電極２０を絶縁膜で覆うことで、計測用電極２０に酸化及び傷が生じることを抑制することができる。よって、生体信号計測装置１０は、より安定して生体信号を計測することができる。また、生体信号計測装置１０は、運転者が手にグローブなどを装着している場合であっても、当該運転者の生体信号を計測することができる。
【００９０】
また、以上説明したように、生体信号計測装置１０の制御方法は、車両の搭乗者の生体信号を計測する生体信号計測装置１０の制御方法であって、複数の計測用電極２０のそれぞれにおいて、搭乗者の生体信号を検出する生体信号検出ステップと、複数の計測用電極２０のそれぞれと一対一で接続された複数の接触状態検出部３０のそれぞれにおいて、当該接触状態検出部３０が接続された計測用電極２０と搭乗者との接触状態を検出する接触状態検出ステップと、複数の計測用電極２０のそれぞれと一対一に接続された複数の生体信号生成部４０のそれぞれにおいて、当該生体信号生成部４０が接続された計測用電極２０が検出した生体信号を前処理することで出力信号を生成する生成ステップと、接触状態検出ステップで検出された接触状態に応じて、複数の生体信号生成部４０の出力信号から少なくとも２つの有効な出力信号を選定する選定ステップと、選定された有効な出力信号に対して差分又は加算を行う演算ステップとを含む。
【００９１】
これにより、生体信号計測装置１０と同様の効果を奏する。すなわち、選定ステップで用いられる複数の出力信号は、複数の生体信号生成部４０のそれぞれから取得されるので、スイッチングによるノイズの影響を受けていない。よって、本実施の形態に係る生体信号計測装置１０の制御方法によれば、安定して高精度に生体信号を計測することができる。
【００９２】
（実施の形態の変形例）
以下、本変形例に係る生体信号計測装置について、図９を参照しながら説明する。なお、本変形例では、実施の形態との相違点を中心に説明する。本変形例に係る生体信号計測装置は、第二バッファ部５０が計測用電極２０の直近に配置されることに特徴を有する。図９は、本変形例に係るアクティブ電極１２０の外観を示す図である。
【００９３】
図９に示すように、第二バッファ部５０は、例えば、一つの基板１４０を介して計測用電極２０上に配置されることによりアクティブ電極１２０として実現されてもよい。具体的には、計測用電極２０の一方の主面２０ａに基板１４０の一方の面が貼り付けられ、基板１４０の他方の面に、第二バッファ部５０が実装される。すなわち、第二バッファ部５０は、計測用電極２０上に配置される。なお、計測用電極２０の一方の主面２０ａは、板状の計測用電極２０のうち、運転者と接触しない側の面である。計測用電極２０の他方の面２０ｂは、運転者と接触する側の面である。一方の主面２０ａと他方の主面２０ｂとは、互いに背向する。また、生体信号計測装置が備える複数の計測用電極２０のそれぞれにおいて、図９に示す基板１４０が配置される。
【００９４】
このように、第二バッファ部５０が一つの基板１４０を介して計測用電極２０に固定されることで、計測用電極２０及び第二バッファ部５０を電気的に接続する配線の配線長を短くすることができる。なお、計測用電極２０の一方の主面２０ａに、さらに第一バッファ部３２が実装されていてもよい。すなわち、基板１４０の一方に主面２０aに、第一バッファ部３２及び第二バッファ部５０が実装されていてもよい。
【００９５】
なお、計測用電極２０に基板１４０を固定する方法は、特に限定されないが、例えば、粘着材などにより固定されてもよい。
【００９６】
以上説明したように、生体信号計測装置は、複数の生体信号生成部４０のそれぞれは、当該生体信号生成部４０と接続された計測用電極２０（信号検出部の一例）が検出した生体信号をバッファする第二バッファ部５０（バッファ部の一例）と、第二バッファ部５０から出力された信号を前処理する生体信号処理部６０と、を有する。そして、第二バッファ部５０は、計測用電極２０に固定されている。
【００９７】
これにより、生体信号計測装置は、計測用電極２０及び第二バッファ部５０を電気的に接続する配線の配線長を短くすることにより、不要ノイズの発生を抑制することができる。よって、本変形例に係る生体信号計測装置は、より高精度に生体信号を計測することができる。
【００９８】
（その他の実施の形態）
以上、実施の形態について説明したが、本開示は、上記実施の形態及び変形例（以降において、実施の形態等とも記載する）に限定されるものではない。
【００９９】
例えば、上記実施の形態等では、接触状態検出部３０のＡＤＣ３３のサンプリング周波数は、電流ＤＡＣ３１の電流印加の周波数と同期している例について説明したが、これに限定されない。第一バッファ部３２が復調用のチョッパ回路を有し、チョッパ回路は、電流ＤＡＣ３１から出力されるパルス電流の周波数に応じてチョッパ制御を行う。これにより、ＡＤＣ３３のサンプリング周波数を、電流ＤＡＣ３１の電流印加の周波数に関係なく自由に設定することができる。また、第一バッファ部３２とＡＤＣ３３との間に、復調回路（例えば、電流ＤＡＣ３１の電流印加の周波数と同期してチョッピングするチョッパ回路）を設けてもよい。
【０１００】
また、上記実施の形態等では、接触インピーダンス計測のための信号アンプ系（例えば、第一バッファ部３２）と生体信号計測のためのアンプ系（例えば、第２バッファ部５０）とは、別の回路である例について説明したが、これに限定されない。例えば、接触インピーダンスの計測と、生体信号の計測とを時系列で行う場合（図８参照）、接触インピーダンス計測のための信号アンプ系、及び、生体信号計測のためのアンプ系の少なくとも一部の構成要素は、共通化されてもよい。これにより、生体信号計測装置１０を小型化することができる。
【０１０１】
また、上記実施の形態等では、演算部８０は、デジタル信号を処理するデジタル演算器（例えば、マイコン）である例について説明したが、これに限定されない。演算部８０は、アナログ信号を処理する回路であってもよい。演算部８０は、例えば、オペアンプを含んで構成されてもよい。
【０１０２】
また、上記実施の形態等では、計測用電極２０と搭乗者とが接触しているか否かを判定するための所定閾値は、１つである例について説明したが、これに限定されない。所定閾値は、複数設けられてもよい。例えば、所定閾値は、複数の計測用電極２０のうち、容量結合型電極である計測用電極２０と容量結合型電極でない計測用電極２０とで、異なる値が設定されてもよい。
【０１０３】
また、上記実施の形態等で説明された回路構成は、一例であり、本開示は上記回路構成に限定されない。つまり、上記回路構成と同様に、本開示の特徴的な機能を実現できる回路も本開示に含まれる。例えば、上記回路構成と同様の機能を実現できる範囲で、ある素子に対して、直列又は並列に、抵抗素子、又は容量素子等の素子が接続されたものも本開示に含まれる。
【０１０４】
また、上記実施の形態等において、生体信号計測装置１０に含まれる構成要素は、ハードウェアによって実現された。しかしながら、生体信号計測装置１０に含まれる構成要素の一部（例えば、信号判定部７０）は、当該構成要素に適したソフトウェアプログラムを実行することによって実現されてもよい。生体信号計測装置１０に含まれる構成要素の一部は、ＣＰＵ（Ｃｅｎｔｒａｌ  Ｐｒｏｃｅｓｓｉｎｇ  Ｕｎｉｔ）またはプロセッサなどのプログラム実行部が、ハードディスクまたは半導体メモリなどの記録媒体に記録されたソフトウェアプログラムを読み出して実行することによって実現されてもよい。
【０１０５】
また、上記実施の形態等では、生体信号計測装置１０は、車両に搭載される例について説明したが、これに限定されない。生体信号計測装置１０は、人が座る又は寝るときに使用される物体に搭載されてもよい。生体信号計測装置１０は、例えば、マッサージ装置などの家電機器、及び、介護用ベッドなどの介護用品などに搭載されてもよい。また、生体信号計測装置１０は、人の頭部に取り付けられて脳波を計測する脳波計などに用いられてもよい。
【０１０６】
また、信号検出部は、計測用電極２０である例について説明したが、これに限定されない。例えば、取得する生体信号が呼吸数などである場合、信号検出部は、圧力センサであってもよい。圧力センサは、例えば、抵抗式のセンサであり、人が座席シートに触れた状態において、人から圧力を受けて変形する。信号判定部７０は、この変形に伴う抵抗値の変化から呼吸を検出してもよい。また、この場合、接触状態検出部３０は、圧力センサの圧力値により接触状態を検出してもよい。また、圧力センサは、圧電素子（例えば、ピエゾ素子）を有していてもよい。
【０１０７】
また、本開示の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。
【０１０８】
また、上記実施の形態等で説明された生体信号計測装置１０は、単一の装置として実現されてもよいし、複数の装置によって実現されてもよい。生体信号計測装置１０が複数の装置によって実現される場合、上記実施の形態等で説明された生体信号計測装置１０が備える各構成要素は、複数の装置にどのように振り分けられてもよい。
【０１０９】
また、上記実施の形態等において、特定の処理部が実行する処理を別の処理部が実行してもよい。また、上記実施の形態等において説明された動作において、複数の処理の順序が変更されてもよいし、複数の処理が並行して行われてもよい。生体信号計測装置１０は、例えば、接触インピーダンス計測のためのパルス電圧信号の計測と、生体信号の計測とを並行して行ってもよい。ＡＤＣ３３のサンプリング周波数が電流ＤＡＣ３１の電流印加の周波数と同じであり、かつフィルタ６３が生体信号から電流ＤＡＣ３１の電流印加によるパルス電圧の成分を除去でれば、可能である。これにより、生体信号の計測を高速化することができる。
【０１１０】
その他、上記実施の形態等に対して当業者が思いつく各種変形を施して得られる形態、または、本開示の趣旨を逸脱しない範囲で各実施の形態における構成要素及び機能を任意に組み合わせることで実現される形態も本開示に含まれる。
【産業上の利用可能性】
【０１１１】
本開示は、人の生体信号を検出する生体信号計測装置に用いることができる。特に、車両の搭乗者の生体信号を計測するために当該車両に搭載される生体信号計測装置において有効である。
【符号の説明】
【０１１２】
１０    生体信号計測装置
２０    計測用電極（信号検出部）
２０ａ、２０ｂ    主面
３０    接触状態検出部
３１    電流ＤＡＣ
３２    第一バッファ部
３２ａ、５１    オペアンプ
３３、６４    ＡＤＣ
４０    生体信号生成部
５０    第二バッファ部（バッファ部）
６０    生体信号処理部
６１    ＬＮＡ
６２    ＶＧＡ
６３    フィルタ
７０    信号判定部
８０    演算部
１００    ステアリングホイール
１１０    座席シート
１１０ａ    ヘッドレスト
１１０ｂ    背面部
１１０ｃ    座面部
１２０    アクティブ電極
１４０    基板
【図１】
2020018442.tif 000003
【図２Ａ】
2020018442.tif 000004
【図２Ｂ】
2020018442.tif 000005
【図３】
2020018442.tif 000006
【図４】
2020018442.tif 000007
【図５】
2020018442.tif 000008
【図６】
2020018442.tif 000009
【図７】
2020018442.tif 000010
【図８】
2020018442.tif 000011
【図９】
2020018442.tif 000012